(57)【要約】【課題】枠体または障子の框体に樹脂製のホロー部を有していても防火性を高くできる。【解決手段】ＦＩＸ窓１の防火機構３３は、枠体６と該枠体６内に納めた障子８とを備えている。枠体６の金属縦枠２２と障子８のペアガラス９のパネル保持金具１０との間に樹脂縦枠２３を設けた。金属縦枠２２とパネル保持金具１０との間に樹脂縦枠２３の２つの樹脂ホロー部２３ａ、２３ｂを並列に形成した。パネル保持金具１０に近接する樹脂ホロー部２３ａ内に加熱発泡材３０を設置し、ボルト３１で他方の樹脂ホロー部２３ｂとの境界を仕切る壁部２３ｅに固定した。各樹脂ホロー部２３ａ、２３ｂは金属縦枠２２とパネル保持金具１０の長手方向の全長に亘って設け、加熱発泡材３０も樹脂ホロー部２３ａ、２３ｂの全長に亘って設けた。【選択図】図３
2016142019.tif 000002
【特許請求の範囲】
【請求項１】
枠体と該枠体内に納められた障子とを備えた建具であって、
前記枠体の樹脂枠部または障子の樹脂框部に設けた中空の樹脂ホロー部と、
前記樹脂ホロー部内に設けられていて火災の際に前記樹脂ホロー部内を閉塞する非金属性の不燃材とを、備えたことを特徴とする建具。
【請求項２】
前記樹脂ホロー部は前記枠体及び障子の長手方向の全長に亘って設けており、
前記非金属性の不燃材は前記樹脂ホロー部の全長に亘って設けている請求項１に記載された建具。
【請求項３】
前記建具の枠体と障子はそれぞれ金属と樹脂の複合サッシからなり、
前記樹脂ホロー部内に金属製の芯材は有していない請求項１または２に記載された建具。
【請求項４】
前記枠体と前記障子に設けたパネル保持具との間に複数の樹脂ホロー部を配列させてあり、前記複数の樹脂ホロー部の少なくとも１つの樹脂ホロー部内に前記非金属性の不燃材を設けた請求項１から３のいずれか１項に記載された建具。
【発明の詳細な説明】
【技術分野】
【０００１】
本発明は、火災等の際に屋内外に火炎や熱が流通することを防ぐＦＩＸ窓（嵌め殺し窓）等を含む建具に関する。
【背景技術】
【０００２】
従来、例えば特許文献１に記載された連窓は嵌め殺し窓と開閉窓とを備え、これらを収納する連窓用窓枠を樹脂で形成している。この連窓は、嵌め殺し窓の枠体では、障子の上枠と下枠として樹脂製の枠部からなる樹脂ホロー部（中空部）が上下方向に２つ形成されており、各内側の樹脂ホロー部の間に嵌め殺し用のガラスパネルが嵌め込まれている。
連窓の嵌め殺し窓の組立に際し、内側の樹脂ホロー部の屋外側端部に凸部を突出形成してガラスパネルを押し込み、その後に屋内側端部に押し縁を嵌着することで固定している。樹脂ホロー部を有する樹脂製の枠体はその接続強度が高く断熱性に優れているとしている。
【先行技術文献】
【特許文献】
【０００３】
【特許文献１】特開２００７−１６２３５３号公報
【発明の概要】
【発明が解決しようとする課題】
【０００４】
しかしながら、上述した特許文献１による連窓では、屋外側で火災が発生した際、枠体を形成する一層または二層の樹脂ホロー部は、火災等の際に高熱によって溶解して樹脂ホロー部が全体に崩れ落ちるため屋内側を連通する隙間が生じてしまい、屋内側に火炎や熱が流入してしまうおそれがあった。
【０００５】
本発明は、このような課題に鑑みてなされたものであって、枠体または障子の框体に樹脂製のホロー部を有していても高い防火性を確保できるようにした建具を提供することを目的とする。
【課題を解決するための手段】
【０００６】
本発明による建具は、枠体と該枠体内に納められた障子とを備えた建具の防火機構であって、枠体の樹脂枠部または障子の樹脂框部に設けた中空の樹脂ホロー部と、樹脂ホロー部内に設けていて火災の際に樹脂ホロー部内を塞ぐ非金属性の不燃材とを、備えたことを特徴とする。
本発明によれば、火災等が発生した際に枠体の樹脂枠部または障子の樹脂框部に形成した樹脂ホロー部が熱で溶解し易いが、樹脂ホロー部内が非金属性の不燃材によって閉塞されるため、高熱に関わらず樹脂ホロー部の形態を維持して樹脂ホロー部の型崩れを防ぐことができ、火炎や熱が屋内外を流通することを防止できる。
【０００７】
また、樹脂ホロー部は枠体及び障子の長手方向の全長に亘って設けており、非金属性の不燃材は樹脂ホロー部の全長に亘って設けていてもよい。
樹脂ホロー部は枠体や障子の長手方向全長に亘って延びて形成され、樹脂ホロー部内の非金属性の不燃材は樹脂ホロー部の全長に亘って延びているため、火災発生時に非金属性の不燃材が枠体や障子の全長に亘って樹脂ホロー部内を閉塞して型崩れを防いで、火炎や熱が屋内外を流通することを防止できる。
【０００８】
また、建具の枠体と障子はそれぞれ金属と樹脂の複合サッシからなり、樹脂ホロー部内に金属製の芯材は有していないことを特徴とする。
本発明による建具では、金属と樹脂の複合サッシからなる枠体と障子の一方に設けた樹脂ホロー部内に金属製の芯材を収納しておらず、加熱発泡材等の非金属性の不燃材を設けただけで火災発生時に樹脂ホロー部が崩れ落ちて火炎や熱が屋内外を流通することを防止できるため、金属製の芯材を用いたものと比較して低コストである。
【０００９】
また、枠体と障子に設けたパネル保持具との間に複数の樹脂ホロー部を配列させてあり、複数の樹脂ホロー部の少なくとも１つの樹脂ホロー部内に非金属性の不燃材を設けるようにしてもよい。
枠体と障子に設けたパネル保持具との間に樹脂ホロー部を複数配列させた場合でも、すべての樹脂ホロー部に不燃材を設置する必要はなく少なくとも１つの樹脂ホロー部に非金属性の不燃材を設ければ、非金属性の不燃材を収納した樹脂ホロー部は火災の際にその内部を閉塞して樹脂ホロー部の形態を維持できると共に不燃材を設置しない他の樹脂ホロー部が熱で崩れたとしてもその位置に留まることで、これらの樹脂ホロー部が相互に関連して火炎や熱が流通する隙間が形成されることを防止できる。
【発明の効果】
【００１０】
本発明による建具によれば、火災等が発生した場合、枠体と障子のパネル保持具との間に設けた樹脂ホロー部内に非金属性の不燃材を配置したため、樹脂ホロー部内を非金属性の不燃材が閉塞するので高熱に関わらず樹脂ホロー部の形態を維持して樹脂ホロー部の溶解による型崩れを防ぐことができる。そのため、枠体と障子のパネル保持具との間に隙間ができず火炎や熱が屋内外を流通することを防止でき、高い防火性能を発揮できる。
【図面の簡単な説明】
【００１１】
【図１】本発明の実施形態によるＦＩＸ窓の水平断面図である。
【図２】図１に示すＦＩＸ窓の縦断面図である。
【図３】図１に示す樹脂縦枠に形成した樹脂ホロー部と加熱発泡材の拡大断面図である。
【発明を実施するための形態】
【００１２】
以下、本発明の実施形態による建具の一例としてＦＩＸ窓（嵌め殺し窓）について図１乃至図３に基づいて説明する。
図１及び図２に示す実施形態による建具としてのＦＩＸ窓１は例えばアルミと樹脂の複合サッシからなり、図１はＦＩＸ窓１の水平縦断面を、図２は同じく垂直断面図を示している。本実施形態によるＦＩＸ窓１は、躯体の開口部２に上枠３及び下枠４と左右の縦枠５とが四角形枠状に形成された枠体６を取り付けている。
枠体６内に障子８を納めており、障子８は例えばペアガラス９からなる複層ガラスの左右の縁部をパネル保持金具１０で保持したものを枠体６内に装着している。
【００１３】
図２に示すＦＩＸ窓１において、上枠３は、屋外側に取り付けた屋外側金属上枠１２ａと屋内側金属上框１２ｂとが断熱材１４を介して連結された金属上枠１２と、その屋内側に設けた樹脂上枠１３とを連結して構成している。ペアガラス９の上端部は、その屋外側を金属上枠１２の下方延出部１２ｃに設けたパッキン１６に当接させ、その屋内側は樹脂上枠１３に嵌合して連結された押縁１５に設けたパッキン１６に当接させて保持されている。
同様に、下枠４は、屋外側に取り付けた屋外側金属下枠１９ａと屋内側金属下枠１９ｂとが断熱材１８を介して連結された金属下枠１９と、その屋内側に設けた樹脂下枠２０とを連結して構成している。ペアガラス９の下端部は、その屋外側を金属下枠１９に設けたパッキン１６に当接させ、その屋内側は樹脂下枠２０に設けたパッキン１６に当接させて保持されている。
【００１４】
また、図１に示す枠体６において、左右の縦枠５は線対称に形成されているため、図３の拡大図で示す左側の縦枠５によって代表して説明する。即ち、縦枠５は、躯体の屋外側に延びて取り付けられた金属縦枠２２と、その内側で屋内側に設けられた複数のホロー部（中空部）を形成した樹脂縦枠２３とを連結して備えている。
なお、障子８のぺアガラス９は左右の端部を例えば断面略コの字状に形成されたパネル保持金具１０によって保持されている。左右のパネル保持金具１０で保持されたペアガラス９は、網入りの外側ガラス２６と内側ガラス２７とがスペーサを介して取り付けられている。パネル保持金具１０の内面における網入り外側ガラス２６の端部に対向する位置には不燃材として例えば加熱発泡材２８が固定されており、火災等の際に熱膨張してパネル保持金具１０とペアガラス９の端部との間の空間を封止できる。
また、ペアガラス９の左右端部は、屋外側端部を金属縦枠２２の見付け方向に延びる分岐受け部２２ａに設けたパッキン１６を当接させて保持され、屋内側端部は樹脂縦枠２３に嵌合させた押縁２４に設けたパッキン１６を当接させて保持されている。
【００１５】
次に、図１及び図３に示すように、左右の樹脂縦枠２３は金属縦枠２２とパネル保持金具１０との間に装着されていて、この間の樹脂縦枠２３には複数、例えば２つの樹脂ホロー部２３ａ、２３ｂが並列に形成されている。これら樹脂ホロー部２３ａ、２３ｂの屋外側には金属縦枠２２に沿って分岐受け部２２ａまで延びて端部を係止保持される屋外側延在部２３ｃが形成されている。
そして、樹脂ホロー部２３ａ、２３ｂの屋内側端部の内側には、ペアガラス９を保持するために押縁２４を嵌合させるための嵌合穴２３ｄが形成されている。
【００１６】
また、２つの樹脂ホロー部２３ａ、２３ｂの内の一方、例えばパネル保持金具１０側の樹脂ホロー部２３ａ内における他方の樹脂ホロー部２３ｂとの境界をなす壁部２３ｅには加熱発泡材３０が設置されている。他方の樹脂ホロー部２３ｂには加熱発泡材３０は設置されていない。この加熱発泡材３０はボルト３１によって壁部２３ｅに固定されている。この場合、ボルト３１の先端は他方の樹脂ホロー部２３ｂに突出していてもよい。或いは、加熱発泡材３０はボルト３１に代えて接着剤等で壁部２３ｅに固定してもよい。
一方の樹脂ホロー部２３ａに加熱発泡材３０を取り付けるには、樹脂縦枠２３を組み立てる際に、他方の樹脂ホロー部２３ｂの壁部２３ｅの外側に加熱発泡材３０をボルト３１で固定して、その後に一方の樹脂ホロー部２３ａを組み立てて樹脂縦枠２３を形成すればよい。
【００１７】
火災発生時にパネル保持金具１０に固定したペアガラス９が保持位置から外れることを防ぐには、火災発生時に先に熱が上がり易いパネル保持金具１０に近接した一方の樹脂ホロー部２３ａに加熱発泡材３０を設置することが好ましい。
しかしながら、加熱発泡材３０は一方の樹脂ホロー部２３ａに代えて他方の樹脂ホロー部２３ｂ内に固定してもよい。この場合でも、加熱発泡材３０を熱膨張させることで他方の樹脂ホロー部２３ｂの形態を維持して型崩れを防ぐことができる。一方の樹脂ホロー部２３ａは熱で溶解してもその位置に留まり、ペアガラス９のパネル保持金具１０に連結して支えられて隙間の形成を阻止できる。
【００１８】
しかも、樹脂ホロー部２３ａ、２３ｂは縦枠５と障子８の上下方向の長さと同一長さを有するように上下方向に延びており、樹脂ホロー部２３ａ内に固定した加熱発泡材３０も同様に樹脂ホロー部２３ａ、２３ｂの全長に亘って延びているものとする。
そのため、例えば屋外側で火災が発生した際、一方の樹脂ホロー部２３ａに設けた加熱発泡材３０が発泡して熱膨張することで一方の樹脂ホロー部２３ａが熱で溶解して型崩れすることを防ぎ、その形態を維持することができる。そして、他方の樹脂ホロー部２３ｂは加熱発泡材を設けていないが、一方の樹脂ホロー部２３ａの形態が維持されることで、他方の樹脂ホロー部２３ｂも溶解はするがその位置に留まって炭化し一方の樹脂ホロー部２３ａに連結されているため型崩れを防いでその形態が維持され、屋内側の熱伝達を阻害することになる。なお、これら樹脂縦枠２３の複数の樹脂ホロー部２３ａ、２３ｂと加熱発泡材３０は防火機構３３を構成する。
なお、本実施形態によるＦＩＸ窓１において、樹脂縦枠２３の樹脂ホロー部２３ａ、２３ｂ内等に金属芯材を設けると金属芯材を介して熱が屋内側に伝わりやすくなり、ＦＩＸ窓１全体の断熱性能が低下するため好ましくない。
【００１９】
本実施形態によるＦＩＸ窓１の防火機構３３は上述した構成を有しており、次にその作用を説明する。
例えばＦＩＸ窓１の屋外側に火災が発生して高温に晒されると、ＦＩＸ窓１のペアガラス９を保持するパネル保持金具１０とその両側の金属縦枠２２との間に設けた樹脂縦枠２３は比較的耐熱性が低いので、溶解開始がアルミ合金等の金属縦枠２２やペアガラス９等と比較して早い。
【００２０】
そのため、樹脂縦枠２３の屋外側に配列された２組の樹脂ホロー部２３ａ、２３ｂが熱溶解を開始する。しかしながら、一方の樹脂ホロー部２３ａでは内部に設けた加熱発泡材３０が熱で発泡して熱膨張するため、一方の樹脂ホロー部２３ａの形態が熱膨張した加熱発泡材３０によって保持される。また他方の樹脂ホロー部２３ｂは加熱発泡材を含まないため高熱を受けて溶解するが、隣接する一方の樹脂ホロー部２３ａの形態が保持されているためにこれに連結した他方の樹脂ホロー部２３ｂの型崩れが抑えられてその位置に留まり、型崩れが遅れる。
【００２１】
そのため、ペアガラス９とパネル保持金具１０はその位置から外れることが遅れ、屋内外の隙間の発生が遅れることで火炎や熱が屋内外を連通するまでの時間を遅らすことができる。
そして、最終的に樹脂縦枠２３の並列に配列された樹脂ホロー部２３ａ、２３ｂが熱で溶解して型崩れすると、ペアガラス９を支える押縁２４が樹脂縦枠２３から脱落する。
なお、上述の説明は、屋外側で火災が発生した場合のものであるが、屋内側で火災が発生した場合でも樹脂縦枠２３の樹脂ホロー部２３ａ内に加熱発泡材３０を設けたため、樹脂ホロー部２３ａ、２３ｂの溶解と型崩れを抑制できる。
【００２２】
上述のように本実施形態によるＦＩＸ窓１の防火機構３３によれば、ペアガラス９のパネル保持金具１０と金属縦枠２２との間に設けた樹脂縦枠２３の樹脂ホロー部２３ａ、２３ｂの一方に加熱発泡材３０を固定して、火災等の際に加熱発泡材３０を熱膨張させて一方の樹脂ホロー部２３ａの形態を維持して型崩れを防ぐことで他方の樹脂ホロー部２３ｂの溶解と型崩れも遅れてその位置に留まる。そのため、樹脂縦枠２３の型崩れによる崩壊を抑制して熱伝達を阻害し、火炎や熱が隙間から屋内外に連通することと障子８が外れることを遅らすことができる。
しかも、本実施形態では、樹脂縦枠２３内にスチール等の金属製の芯材等を設置することなく、樹脂縦枠２３の１つの樹脂ホロー部２３ａ内に設けた加熱発泡材３０だけで火炎や熱が隙間から屋内外に連通することを遅らすことができるので、ＦＩＸ窓１の防火機構３３の製造コストを低廉にすることができる。また、本実施形態は、金属製の芯材等を設けることなく火炎や熱が屋内外を流通することを阻止できて低コストであり、また断熱性能の低下を抑えることができる。
【００２３】
なお、本発明による建具の防火機構は、上述した実施形態によるＦＩＸ窓１の防火機構３３に限定されるものではなく、本発明の要旨を逸脱しない範囲で適宜の変更や置換等が可能である。以下に、本発明の変形例について説明するが、上述した実施形態で説明した部品や部材等と同一または同様なものについては同一の符号を用いて説明する。
【００２４】
例えば、上述した実施形態では、樹脂縦枠２３に屋外または屋内に対面するように２つの樹脂ホロー部２３ａ、２３ｂを並列に設置し、いずれか一方に加熱発泡材３０を取り付けるようにしたが、全ての樹脂ホロー部２３ａ、２３ｂに加熱発泡材３０を設けてもよい。この場合には、火災時に樹脂ホロー部２３ａ、２３ｂの型崩れをより一層防いで火炎や熱の流通を抑制できる。
また、ペアガラス９のパネル保持金具１０と金属縦枠２２との間に並列に設置する樹脂縦枠２３の樹脂ホロー部２３ａ、２３ｂは２つに限定されるものではなく、１つまたは３つ以上であってもよい。この場合、加熱発泡材３０は少なくとも１つの樹脂ホロー部内に取り付けるようにすればよい。
【００２５】
また、上述した実施形態や変形例では、縦枠５に設けた樹脂縦枠２３に樹脂ホロー部２３ａ、２３ｂと加熱発泡材３０を設けたが、本発明はこのような構成に限定されるものではなく、これに代えて、またはこれに加えて、上枠３の樹脂上枠及び/または下枠４の樹脂下枠に樹脂ホロー部２３ａ、２３ｂと加熱発泡材３０を設けてもよい。樹脂縦枠２３、樹脂上枠、樹脂下枠は樹脂枠部を構成する。
【００２６】
また、枠体６に代えて、障子８に設けた縦框、上框または下框に１または複数の樹脂ホロー部を配列させた樹脂框部を設け、これら樹脂框部の樹脂ホロー部内の少なくともいずれか１つに加熱発泡材３０を取り付けるようにしてもよい。
また、本発明において、障子８としてぺアガラス９等の複層ガラスに代えてガラス以外のパネルを設けてもよく、ペアガラス９等の複層ガラスやパネルを保持するパネル保持金具１０はパネル保持具に含まれる。
【００２７】
また、上述した実施形態では、ＦＩＸ窓１における縦枠５に設けた樹脂縦枠２３の樹脂ホロー部２３ａ、２３ｂや加熱発泡材３０について説明したが、本発明はＦＩＸ窓１に限定されるものではなく、他の縦辷り出し窓や横辷り出し窓や引き違い窓等の各種の建具に適用できる。
また、本発明において、樹脂縦枠２３の樹脂ホロー部２３ａ、２３ｂの一方に収納する部材は加熱発泡材３０に限定されるものではなく、例えばグラスウール等、火災の際に樹脂ホロー部２３ａ、２３ｂの形態を維持して型崩れを防ぐものであれば適宜の非金属性の不燃材を採用できる。加熱発泡材３０やグラスウール等の非金属性の不燃材を設けることによって樹脂縦枠２３の樹脂ホロー部２３ａ、２３ｂ等、各樹脂枠の断熱性を確保できる。
【符号の説明】
【００２８】
１  ＦＩＸ窓
５  縦枠
６  枠体
８  障子
９  ペアガラス
１０  パネル保持金具
２２  金属縦枠
２３  樹脂縦枠
２３ａ、２３ｂ  樹脂ホロー部
２３ｅ  壁部
３０  加熱発泡材
３１  ボルト
３３  防火機構
【図１】
2016142019.tif 000003
【図２】
2016142019.tif 000004
【図３】
2016142019.tif 000005